(57)【要約】【課題】インナーキャップの上にスムーズに被ることが可能で、顔とキャップとの間に隙間を作ることなくフィットして、かつムレ感のない快適性で安全な衛生アウターキャップを提供する。【解決手段】頭部から頸部までを覆うと共に、顔面を露出する開口部分が形成されたフード状のキャップ本体を備え、開口部分と隣接して、頭囲を覆う頭囲被覆部と、該頭囲被覆部に両端が接続されて顔面両側から頸部前側を覆う顔面周囲被覆部とで構成し、頭囲被覆部と顔面周囲被覆部の少なくとも一方を、伸縮性布で構成した。この伸縮布は、破断までの引張伸度が１００％以上であり、２５％引張伸長時における引張応力が１Ｎ／ｃｍ以下で、且つ、伸張弾性率が９０％以上であることが好ましく、さらに、０％引張伸長時の動摩擦係数に対する２５％引張伸長時の動摩擦係数の減少率が１０％以上であることが好ましい。【選択図】図１
2018159152.tif 000002
【特許請求の範囲】
【請求項１】
頭部から頸部までを覆うと共に、顔面を露出する開口部分を有したフード状のキャップ本体を備え、予め頭髪を覆うためのインナーキャップを着用した頭部を前記キャップ本体の頸部側から挿入して装着する衛生アウターキャップであって、前記開口部分と隣接する部分を、頭囲を覆う頭囲被覆部と、該頭囲被覆部に両端が接続されて顔面両側から頸部前側を覆う顔面周囲被覆部とで構成し、前記頭囲被覆部と前記顔面周囲被覆部の少なくとも一方を、伸縮性布で構成したことを特徴とする衛生アウターキャップ。
【請求項２】
伸縮性布は、破断までの引張伸度が１００％以上であり、２５％引張伸長時における引張応力が１Ｎ／ｃｍ以下で、且つ、伸張弾性率が９０％以上であり、さらに、０％引張伸長時の動摩擦係数に対する２５％引張伸長時の動摩擦係数の減少率が１０％以上である請求項１記載の衛生アウターキャップ。
【請求項３】
頭囲被覆部と顔面周囲被覆部とを同じ伸縮性布で構成した請求項１または２記載の衛生アウターキャップ。
【請求項４】
開口部分は、頭囲被覆部又は顔面周囲被覆部と同じ伸縮性布を二枚以上重ねた強伸縮性布によって顔面に密着可能に構成した請求項１、２または３記載の衛生アウターキャップ。
【請求項５】
開口部分は、額に沿う横帯部と、下顎からこめかみに沿うＵ字状帯部の二部材からなり、それぞれを同じ強伸縮性布で構成した請求項４記載の衛生アウターキャップ。
【請求項６】
キャップ本体における開口部分、頭囲被覆部、及び顔面周囲被覆部を除くその他の被覆部は、通気量が７０ｃｍ３／ｃｍ２・ｓ以上であり、且つ、破断までの引張伸度が伸縮性布よりも小さい通気性布で構成した請求項１から５のうち何れか一項記載の衛生アウターキャップ。
【請求項７】
その他の被覆部は、頭囲被覆部の上側に配する頭頂被覆部と、顔面周囲被覆部の後ろ側に配する後頭被覆部の二部材で構成した請求項６記載の衛生アウターキャップ。
【請求項８】
キャップ本体の下縁に両肩を覆うケープ部をさらに備えた請求項１から７のうち何れか一項記載の衛生アウターキャップ。
【請求項９】
開口部分の上側両隅部に伸縮性短帯を取り付けて、メガネのツルを前記伸縮性短帯と前記開口部分とで挟み込んだ状態でキャップ本体内に挿入可能なスリットを形成した請求項１から８のうち何れか一項記載の衛生アウターキャップ。
【発明の詳細な説明】
【技術分野】
【０００１】
本発明は、食品、化粧品、医薬品、半導体などのクリーンルームで使用する作業者用衛生アウターキャップで、被る際にインナーキャップとの間に適度な滑りがあってズレ難く、かつムレ感をなくして長い間の使用にも疲れない、快適で安全な塵埃防止効果の高い衛生アウターキャップに関するものである。
【背景技術】
【０００２】
食品、化粧品、医薬品、半導体などのクリーンルームで働く作業者は、自らの頭髪、塵埃などが落下してクリーンルームを汚染しないように、また製品を汚染しないようにインナーキャップを被り、その上にアウターキャップを被るという二重のキャップ着用が一般的である。
【０００３】
このようなアウターキャップに供するものとして、特許文献１では、装着者の塵埃を放出しないように顔面周辺部に伸縮性帯状布材が使用され、かつ装着者に密着させるために、後方へ引っ張るための密着用伸縮バンドを取り付けた防塵用頭巾が提案されている。
【０００４】
また、特許文献２では、顔の露出する開放部の周辺を伸縮性のある布地を細く折り返して縫着し、かつ額部のみに横方向に伸縮する材質を用いて、異なった顔の大きさに対応するようにした作業用アウターキャップを開示している。
【先行技術文献】
【特許文献】
【０００５】
【特許文献１】特開２００６−２２４３４号公報
【特許文献２】特開２００３−１３８４１６号公報
【発明の概要】
【発明が解決しようとする課題】
【０００６】
アウターキャップは上述のようにインナーキャップの上に着用するが、凹凸があり毛羽のある不織布、織物、編物などで出来たインナーキャップの上に、同様の凹凸のある織物、編物素材で出来たアウターキャップを被ろうとすると、インナーキャップとの間で大きな摩擦力が起きて、インナーキャップとアウターキャップにズレが生じて所定の位置に被ることは難しい。その結果、インナーキャップと顔との間に隙間が生じて頭髪や塵埃などが外にこぼれ落ちる欠点があった。
【０００７】
また、インナーキャップとアウターキャップの二重着用による通気性不足から、作業者に暑さとムレ感を与えて快適さを損なった。
【０００８】
即ち、特許文献１の頭巾ではインナーキャップの上に、アウターキャップを被る時にインナーキャップとの間に摩擦力が大きく働き、アウターキャップをスムーズに被るのが難しく、顔とインナーキャップの間に空隙を生じて塵埃や毛髪が外にでる欠点がある。また、密着性が強いため長期間使用すると疲労が蓄積して作業者の快適性を損なう。さらに、通気性不足のため作業者は暑さでムレ不快を感じる。
【０００９】
これは特許文献２の場合も、インナーキャップの上に被る際に、側頭部の伸びない布帛のためインナーキャップの布帛との間で摩擦が大きく生じてズレなく被ることは難しい。このため顔とインナーキャップの間に空隙を生じて毛髪や塵埃などが、外に漏れ出る欠点がある。また、このアウターキャップは額部の密着性が高いので快適感が乏しく長時間の装着で作業者に不快感を与える。さらに、通気性に対する配慮が乏しく、作業者は暑さで不快を感じる。
【００１０】
なお、特許文献１〜２のものは、着用部位に応じたいくつかの布帛パーツを縫製等してフード状のキャップとしているが、そのパーツ数は３〜５と比較的少なく、調整の融通性に欠けるという課題もある。
【００１１】
本発明は上述した課題を解決するためになされたもので、その目的とするところは、インナーキャップの上にスムーズに被ることが可能で、顔とキャップとの間に隙間を作ることなくフィットして、かつムレ感のない快適性で安全な衛生アウターキャップを提供することである。
【課題を解決するための手段】
【００１２】
上述した目的を達成するために本発明では、頭部から頸部までを覆うと共に、顔面を露出する開口部分を有したフード状のキャップ本体を備え、予め頭髪を覆うためのインナーキャップを着用した頭部を前記キャップ本体の頸部側から挿入して装着する衛生アウターキャップであって、前記開口部分と隣接する部分を、頭囲を覆う頭囲被覆部と、該頭囲被覆部に両端が接続されて顔面両側から頸部前側を覆う顔面周囲被覆部とで構成し、前記頭囲被覆部と前記顔面周囲被覆部の少なくとも一方を、伸縮性布で構成するという手段を用いた。この伸縮性布は、破断までの引張伸度が１００％以上であり、２５％引張伸長時における引張応力が１Ｎ／ｃｍ以下で、且つ、伸張弾性率が９０％以上であることが好ましい。その伸びの良さによって、装着時に大きく広げた状態とすることができ、インナーキャップとの接触する機会を小さくすることができるからである。これとは異なる特性として、伸縮布は、０％引張伸長時の動摩擦係数に対する２５％引張伸長時の動摩擦係数の減少率が１０％以上であることが好ましい。伸長時に滑り特性が向上し、装着時にインナーキャップとの摩擦が低減するからである。そして、最も好ましい手段として、上述の引張強伸度、伸長弾性率、動摩擦係数の減少率を全て兼ね備えた伸縮性布を採用する。
【００１３】
かかる構成によれば、衛生アウターキャップを装着する際に、頭囲被覆部あるいは顔面周囲被覆部が適切な特性をもつ伸縮性布により、インナーキャップとの摩擦が低減されスムーズな被りを実現する。
【００１４】
頭囲被覆部と顔面周囲被覆部とは同じ伸縮性布で構成することが好ましい。インナーキャップとの摩擦を低減する範囲が拡大して、よりスムーズな着用が可能となるからである。
【００１５】
開口部分は、頭囲被覆部又は顔面周囲被覆部と同じ伸縮性布を二枚以上重ねた強伸縮性布によって顔面に密着可能に構成するという手段を用いる。かかる手段によれば、開口部分を構成する強伸縮性布の優れた伸張回復性により、顔面との間に空隙を作らず顔にフィットする。このため毛髪や塵埃が外に漏れることはない。
【００１６】
なお、開口部分は、額に沿う横帯部と、下顎からこめかみに沿うＵ字状帯部の二部材からなり、それぞれを同じ強伸縮性布で構成することが好ましい。一部材で構成するよりも、顔へのフィット感が向上するからである。
【００１７】
キャップ本体における開口部分、頭囲被覆部、及び顔面周囲被覆部を除くその他の被覆部は、通気量が７０ｃｍ３／ｃｍ２・ｓ以上であり、且つ、破断までの引張伸度が伸縮性布よりも小さい通気性布で構成するという手段を用いる。かかる手段によれば、その他の被覆部が通気性が大きい反面、伸びの少ない布で構成されるため、頭部と密着せずキャップ本体と頭部との間に広い空間を作り、かつ大きな通気性により、熱や湿気をキャップ内にとどめず、作業者に不快感を与えない。また、これは被る際にもスムーズな被り効果を与える。
【００１８】
なお、その他の被覆部は、頭囲被覆部の上側に配する頭頂被覆部と、顔面周囲被覆部の後ろ側に配する後頭被覆部の二部材で構成することが好ましい。一部材とするよりも立体形状とする可能となり、上述した通気性やスムーズな被り効果が確実に得られるからである。
【００１９】
また、キャップ本体の下縁に両肩を覆うケープ部をさらに備えることが好ましい。このケープ部を作業着の内側に入れ込むことで、より確実に毛髪や塵埃の飛散を防止することができるからである。
【００２０】
さらに、開口部分の上側両隅部に伸縮性短帯を取り付けて、メガネのツルを前記伸縮性短帯とキャップ本体とで挟み込んだ状態で前記フード内に挿入可能なスリットを形成することが好ましい。メガネ着用者の利便性を考慮したものである。
【発明の効果】
【００２１】
上記構成の本発明に係る衛生アウターキャップは、開口部分に隣接して設けられる頭囲被覆部あるいは顔面周囲被覆部を伸縮性布で構成しているため、インナーキャップの上にこれを装着する際に、適切な伸度と引張力、伸張弾性率、動摩擦力の低減効果で、スムーズな被り性を発揮する。そのうえ、開口部分を構成する横帯部とＵ字状帯部の２部材が強伸縮性布であるため顔へのフィット感もあり、顔と衛生アウターキャップとの間の間隙がなく、キャップ内のごみ、毛髪や塵埃など汚染物が外部に漏れることを防止することができた。
【００２２】
また、頭頂被覆部及び後頭被覆部に通気性が大きく伸びの少ない布を用いて広い空間を作り、内部の温度上昇した水蒸気を含む内部気流を排気して内部温度の上昇を抑えて長期間に亘って快適な環境を提供することができた。
【図面の簡単な説明】
【００２３】
【図１】本発明の第１実施形態に係る衛生アウターキャップを装着した状態の正面視説明図である。
【図２】同、側面視説明図である。
【図３】同、背面視説明図である。
【図４】同、開口部分を構成する横帯部とＵ字状帯部に用いた伸縮性布を二つ折りした強伸縮性帯状物の側面形態図である。
【図５】本発明の第２実施形態に係る衛生アウターキャップを装着した状態の正面視説明図である。
【発明を実施するための形態】
【００２４】
以下、本発明に係る衛生アウターキャップについて、いくつかの好ましい実施態様を添付した図面に従って説明する。
【００２５】
（第１実施形態）
本発明の第１実施形態を、図１正面図、図２側面図，図３背面図に示す。図１は本発明の衛生アウターキャップの正面図で、頭部から頸部を覆うと共に、顔面を露出する開口部分を有したキャップ本体１を備え、開口部分を横帯部２とＵ字状帯部３の二部材で構成すると共に、横帯部２の上部に頭囲被覆部４と、Ｕ字状帯部３の後部に顔面周囲被覆部５とをそれぞれ隣接して設け、これらの材料を伸縮性布で構成する一方、頭頂被覆部６とケープ前部８を通気性が大きいが、伸びの小さい布で構成した。また、顔へのフィット性を向上するため横帯部２とＵ字状帯部３には、図４に示すように伸縮性布を２つ折り以上にして伸びを少なくする反面、戻りの力を大きくしてフィット感を向上した帯状の強伸縮性布で構成した。被り易さは横帯部２に隣接する頭囲被覆部４あるいはＵ字状帯部３に隣接する顔面周囲被覆部５のすくなくとも一つのパーツが適切な伸縮性布で構成されていることによる。さらに、好ましくは２つのパーツともに伸縮性布で構成されているのがよい。
【００２６】
使用する適切な伸縮性布は１００％以上の引張伸度を持ち、発生する引張力は２５％伸長時に１Ｎ／ｃｍ以下が好ましい。さらに、２５％伸長時の伸張弾性率が９０％以上で、２５％伸長時の動摩擦係数の減少率が、１０％以上であるある布が好ましい。動摩擦係数の減少率とは０％伸張時の動摩擦係数に対する減少率である。
【００２７】
この伸縮性布は適切な伸びがないと円滑に被ることができないので１００％以上の引張伸度を持ち、２５％引張伸度時の引張力１Ｎ／ｃｍ以下が好ましい。この引張強伸度はＪＩＳ  Ｌ１０９６  Ａ法で測定する引張伸度と引張力である。また、２５％時の伸張弾性率は顔へのフィット性から９０％以上が好ましい。伸張弾性率はＪＩＳ  Ｌ１０９６  Ｄ法で２５％定伸張時の回復率を測定する。さらに、スムーズな被り心地を達成するため動摩擦係数は、２５％引張伸張時の動摩擦係数の減少率は１０％以上が好ましい。この測定はＪＩＳ  Ｋ７１２５に基づき、相手材はインナーキャップの一般的な素材を考慮して不織布とし、測定試料の伸縮性布を測定方向に２５％引張伸張して動摩擦特性を測定する。伸縮性布は横編みのような編物が好ましく、使用糸にはポリウレタンのような伸縮性のある繊維を軸にして他素材を巻き付けたカバード糸を用いて編物形成されるのが好ましい。伸縮性布が使用される部位の使用幅は、被り易さ、フィット性の点から横帯部２とＵ字状帯部３は１〜４ｃｍ幅が好ましい。また、横帯部２に隣接する頭囲被覆部４は２〜６ｃｍ幅が好ましい。さらに、Ｕ字状帯部３に隣接する顔面周囲被覆部５は３〜１５ｃｍが好ましい。
【００２８】
また、開口部分、頭囲被覆部４、及び顔面周囲被覆部５を除くその他の被覆部、即ち、本実施形態の場合、頭頂被覆部６、後頭被覆部７、さらに、キャップ本体１の下縁に備えるケープ前部８及びケープ後部９を構成する布は、通気性があり、伸びの少ない布が好ましい。その通気性はＪＩＳ  Ｌ１０９６  Ａ法（フラジール法）で７０ｃｍ３／ｃｍ２・ｓ以上が好ましい。かつ、頭部周辺に余裕のある空間を作るため伸びが少ない織物あるいは編物で構成することが好ましい。その破断までの引張伸度は伸縮性布よりも小さいものが好ましい。こうした特性は、作業者への暑さやムレ感を防止して快適にするため必要である。なお、引張試験はＪＩＳ  Ｌ１０９６  Ａ法で行う。
【００２９】
図２は本発明の衛生アウターキャップの側面図で、上述のとおり、横帯部２、Ｕ字状帯部３、横帯部２に隣接する頭囲被覆部４、Ｕ字状帯部３に隣接する顔面周囲被覆部５を設けて、その材料を伸縮性布で構成し、かつ、頭頂被覆部６、後頭被覆部７、ケープ前部８、ケープ後部９を通気性の大きく伸びの少ない布で構成する手段を採用した。さらに、吸水速乾性のある汗を吸い易く放湿し易い布帛を用いれば好ましい。
【００３０】
図３は本発明に衛生アウターキャップの背面図で、やはり上述のとおり、頭頂被覆部６、後頭被覆部７、ケープ前部８、ケープ後部９は通気性の大きい布で構成され、アウターキャップ周囲長を調整する面ファスナー付き調節部１０を後頭被覆部７に配した。このように、本衛生アウターキャップ１は８パーツ以上で作られているので調整の融通性に富む。
【００３１】
なお、図４は本衛生アウターキャップに用いる横帯部２とＵ字状帯部３に用いる伸縮性布を二つ折りした強伸縮性帯状物を示す図である。
【００３２】
（第２実施形態）
図５は、本発明の第２実施形態を示す正面図である。第１実施形態にメガネツル挿入部１１とマスク紐取付け部１２を付加したものである。メガネツル挿入部１１は、開口部分の上部左右の両隅部に、頭囲被覆部４または顔面周囲被覆部５と同じ伸縮性布、あるいは、横帯部２やＵ字状帯部３と同じ強伸縮性布からなる伸縮性短帯を斜めに取付けてなる。伸縮性短帯と開口部分との間にはメガネのツルを挿入するスリットが確保されており、かかる構成によれば、メガネのツルを伸縮性短帯と開口部分とで挟持した状態でメガネを装着することができる。マスク紐取付け部１２はマスクを取付ける際に用いるもので、硬い不織布をアウターキャップ１に溶着で取付けてひっかけ易い構造とする。
【実施例１】
【００３３】
第１実施態様に示す本発明の衛生アウターキャップとして、横帯部２、Ｕ字状帯部３、横帯部２に隣接する頭囲被覆部４、Ｕ字状帯部３に隣接する顔面周囲被覆部５に使用する伸縮性布は、ウレタンを芯に用いたカバード糸を用いた編み組織ベア天竺で、密度がウエール４８本／ｉｎ、コース６８本／ｉｎであるものを使用した。破断までの引張伸度はたて方向で２２５％、よこ方向で４１２％であり、２５％引張伸張時の引張力はたて方向で０．３Ｎ／ｃｍ、よこ方向で０．１９Ｎ／ｃｍであった。２５％引張伸張時の伸張弾性率はたて方向で９９％、よこ方向で９９％であった。２５％引張伸張時の動摩擦係数の減少率は、たて方向伸張で２５％、よこ方向伸張で１８％であった。
【００３４】
横帯部２とＵ字状帯部３の幅は２５ｍｍで、２つ折りにして図４に示す伸縮性帯状物とした。横帯部２に隣接する頭部周辺部４の幅は３５〜４５ｍｍである。Ｕ字状帯部３に隣接する顔面周囲被覆部５の幅は狭いところで６０ｍｍ、広いところで９０ｍｍである。頭頂被覆部６、後頭被覆部７、ケープ前部８、ケープ後部９には、その他布と比較して通気性が大きく伸びの少ない布を用いた。具体的には、織物金巾（細く上質な綿糸で比較的目を細かく薄地に織った綿布）で、通気量は１６０ｍ３／ｃｍ２・ｓ、引張伸度３５％のものを用いた。
【００３５】
本衛生アウターキャップを、不織布を用いたインナーキャップに被せたところ、スムーズな被りとなり、インナーキャップのズレによる間隙を生じることなくフィットした被りを実現できた。着用した結果、毛髪や塵埃の漏れによる環境汚染もなく、長時間被っても暑さやムレはなく快適であった。
【実施例２】
【００３６】
実施例１にメガネツル挿入部１１とマスク紐取付け部１２を付加した。メガネツル挿入部１１に実施例１の伸縮性布を２つ折りして用いた。その折り幅は２５ｍｍでと長さ７０ｍｍであった。これを図５に示すように開口部分を構成する横帯部２とＵ字状帯部３に斜めに取り付けた。また、マスク紐取付け部１２として硬い不織布を円形にして取り付けた。
【００３７】
この結果、メガネを容易に装着でき、マスクも容易に掛けることができた。なお、キャップとしての機能は実施例１に示す通りであった。
【符号の説明】
【００３８】
１  キャップ本体
２  横帯部
３  Ｕ字状帯部
４  頭囲被覆部
５  顔面周囲被覆部
６  頭頂被覆部
７  後頭被覆部
８  ケープ前部
９  ケープ後部
１０  サイズ調整部
１１  メガネツル挿入部
１２  マスク紐取付け部
【図１】
2018159152.tif 000003
【図２】
2018159152.tif 000004
【図３】
2018159152.tif 000005
【図４】
2018159152.tif 000006
【図５】
2018159152.tif 000007